(57)【要約】【課題】仕切板により分割された一方のカード装着部に幅寸法の異なるカードを装着する場合においても、幅寸法の小さいカードを適切に案内し、３種類以上のカードの装着に対応すること。【解決手段】カードＡ〜Ｃのうちのいずれか１つが選択的に装着されるカード装着部と、このカード装着部を上下に分割して上部カード装着部及び下部カード装着部を形成する仕切板６と、下部カード装着部の側方側で且つ仕切板６の下方側に上下に移動可能に配設されたガイド部材５とを具備し、上部カード装着部にカードＡが装着される一方、下部カード装着部にカードＢ又はカードＣが装着されるカード用コネクタ１において、ガイド部材５は、カードＢが装着される場合にカードＢの側方を案内する一方、カードＣが装着される場合にカードＣと当接してカードＣの装着領域外に移動する。【選択図】図２
2010067490.tif 000002
【特許請求の範囲】
【請求項１】
第１カード、第２カード及び第３カードのうちのいずれか１つが選択的に装着されるカード装着部と、前記カード装着部を上下に分割して上部カード装着部及び下部カード装着部を形成する仕切板と、前記下部カード装着部の側方側で且つ前記仕切板の下方側に上下に移動可能に配設されたガイド部材とを具備し、前記上部カード装着部に前記第１カードが装着される一方、前記下部カード装着部に前記第２カード又は第３カードが装着されるカード用コネクタであって、
前記ガイド部材は、前記第２カードが装着される場合に前記第２カードの側方を案内する一方、前記第３カードが装着される場合に当該３カードと当接して当該第３カードの装着領域外に移動することを特徴とするカード用コネクタ。
【請求項２】
前記第２カードは、前記仕切板の下方と前記ガイド部材の上方との間に装着される一方、前記第３カードは、前記ガイド部材の下方に装着されることを特徴とする請求項１記載のカード用コネクタ。
【請求項３】
前記ガイド部材と前記仕切板とは互いに噛み合う凹凸形状を有しており、前記ガイド部材と前記仕切板との間に配設された弾性部材により相互に上下動可能に構成されたことを特徴とする請求項１又は請求項２記載のカード用コネクタ。
【請求項４】
前記ガイド部材は、前記第２カードの側方を案内する第１ガイド面と、前記第３カードの上方を案内する第２ガイド面と、前記第３カードを前記ガイド部材の下方側に案内する第３ガイド面とを備えることを特徴とする請求項１から請求項３のいずれかに記載のカード用コネクタ。
【請求項５】
前記ガイド部材は、その一部が前記第２カード及び第３カードが前記仕切板よりも先に当接するようにカード挿入口側に配置されることを特徴とする請求項１から請求項４のいずれかに記載のカード用コネクタ。
【請求項６】
前記ガイド部材は、前記第２カードの下方を案内すること特徴とする請求項１から請求項５のいずれかに記載のカード用コネクタ。
【発明の詳細な説明】
【技術分野】
【０００１】
本発明は、カード用コネクタに関し、特に、複数種類のカードに対応可能なカード用コネクタに関する。
【背景技術】
【０００２】
従来、カード用コネクタ装置内に設けられたカード装着部を上下に仕切る可動式の板状部材（以下、「仕切板」という）を備え、当該仕切板によりカード装着部を分割したカード用コネクタが提案されている（例えば、特許文献１、特許文献２及び特許文献３参照）。このようなカード用コネクタにおいては、挿入されるカードの種別に応じて仕切板によって上下段に分割されたカード装着部に選択的に振り分けて装着可能に構成されている。
【特許文献１】特許第３９９９６５２号公報
【特許文献２】特許第３９３２８７２号公報
【特許文献３】特許第４０５８６０６号公報
【発明の開示】
【発明が解決しようとする課題】
【０００３】
ところで、近年、このようなカード用コネクタにおいては、より多くのカードの装着が要請されている。この場合、例えば、上述した仕切板によって分割された一方のカード装着部に更に別のカードを装着することが考えられる。この場合において、一方のカード装着部に装着される２種類のカードの幅寸法が異なる場合には、幅寸法の小さいカードを装着する際に適切に案内することが困難となるという問題がある。
【０００４】
本発明はかかる問題点に鑑みて為されたものであり、仕切板により分割された一方のカード装着部に幅寸法の異なるカードを装着する場合においても、幅寸法の小さいカードを適切に案内し、３種類以上のカードの装着に対応することができるカード用コネクタを提供することを目的とする。
【課題を解決するための手段】
【０００５】
本発明のカード用コネクタは、第１カード、第２カード及び第３カードのうちのいずれか１つが選択的に装着されるカード装着部と、前記カード装着部を上下に分割して上部カード装着部及び下部カード装着部を形成する仕切板と、前記下部カード装着部の側方側で且つ前記仕切板の下方側に上下に移動可能に配設されたガイド部材とを具備し、前記上部カード装着部に前記第１カードが装着される一方、前記下部カード装着部に前記第２カード又は第３カードが装着されるカード用コネクタであって、前記ガイド部材は、前記第２カードが装着される場合に前記第２カードの側方を案内する一方、前記第３カードが装着される場合に当該３カードと当接して当該第３カードの装着領域外に移動することを特徴とする。
【０００６】
上記カード用コネクタによれば、下部カード装着部において、幅寸法の小さい第２カードをガイド部材によって案内すると共に、幅寸法の大きい第３カードが装着される場合に第３カードの装着領域外にガイド部材を移動させるようにしたことから、仕切板により分割された一方のカード装着部に幅寸法の異なるカードを装着する場合においても、幅寸法の小さいカードを適切に案内しつつ、幅寸法の大きいカードの装着を許容でき、３種類以上のカードの装着に対応することが可能となる。
【０００７】
上記カード用コネクタにおいて、前記第２カードは、前記仕切板の下方と前記ガイド部材の上方との間に装着される一方、前記第３カードは、前記ガイド部材の下方に装着されることが好ましい。この場合には、ガイド部材によって下部カード装着部における第２カード及び第３カードの位置を決定することができ、これらのカードを下部カード装着部における適切な装着位置に配置することが可能となる。
【０００８】
また、上記カード用コネクタにおいては、前記ガイド部材と前記仕切板とは互いに噛み合う凹凸形状を有しており、前記ガイド部材と前記仕切板との間に配設された弾性部材により相互に上下動可能に構成されることが好ましい。この場合には、限られた空間内でガイド部材と仕切板とを相互に上下動させることができるので、カード装着部の寸法を縮小でき、コネクタ自体を薄型化することが可能となる。
【０００９】
さらに、上記カード用コネクタにおいて、前記ガイド部材は、前記第２カードの側方を案内する第１ガイド面と、前記第３カードの上方を案内する第２ガイド面と、前記第３カードを前記ガイド部材の下方側に案内する第３ガイド面とを備えることが好ましい。この場合には、第１ガイド面で第２カードの側方を案内する一方、第３ガイド面でガイド部材の下方側に案内した第３カードの上方を第２ガイド面で案内するようにしたことから、単一のガイド部材で適切に第２カード及び第３カードを案内することが可能となる。
【００１０】
さらに、上記カード用コネクタにおいて、前記ガイド部材は、その一部が前記第２カード及び第３カードが前記仕切板よりも先に当接するようにカード挿入口側に配置されることが好ましい。この場合には、仕切板よりも先にガイド部材の一部を第２カード及び第３カードに当接させることができるので、下部カード装着部の所定位置に第２カード及び第３カードを適切に振り分けることが可能となる。
【００１１】
さらに、上記カード用コネクタにおいて、前記ガイド部材は、前記第２カードの下方を案内することが好ましい。この場合には、ガイド部材によって下部カード装着部における第２カードの下方側の位置を決定することができ、第２カードを下部カード装着部における適切な装着位置に配置することが可能となる。
【発明の効果】
【００１２】
本発明によれば、下部カード装着部において、幅寸法の小さい第２カードをガイド部材によって案内すると共に、幅寸法の大きい第３カードが装着される場合に第３カードの装着領域外にガイド部材を移動させるようにしたことから、仕切板により分割された一方のカード装着部に幅寸法の異なるカードを装着する場合においても、幅寸法の小さいカードを適切に案内しつつ、幅寸法の大きいカードの装着を許容でき、３種類以上のカードの装着に対応することが可能となる。
【発明を実施するための最良の形態】
【００１３】
以下、本発明の一実施の形態について添付図面を参照して詳細に説明する。なお、本実施の形態に係るカード用コネクタ（以下、単に「コネクタ」という）１においては、例えば、ＳＤ（secure  digital）カード、ＳＤＨＣカード、ＭＭＣ（Multi  Media  Card）カード、メモリースティック  デュオ（登録商標）カード、メモリースティック  ＰＲＯ−ＨＧ  デュオカード、並びに、ｘＤ−Ｐｉｃｔｕｒｅ（登録商標）カードの６種類のカードが装着可能に構成されている。
【００１４】
ここで、ＳＤカードとＳＤＨＣカードとは同一の形状を有している。ＭＭＣカードは、その厚さが僅かに薄い点を除き、ＳＤカード及びＳＤＨＣカードと略同様の形状を有するため、コネクタ１においては、同一の態様で装着される。また、メモリースティック  デュオカードと、メモリースティック  ＰＲＯ−ＨＧ  デュオカードとは、コンタクトと接触する接触パッドの構成を除き、同一の形状を有するため、コネクタにおいては、同一の態様で装着される。以下においては、適宜、ＳＤカード、ＳＤＨＣカード及びＭＭＣカードを「カードＡ」と呼び、メモリースティック  デュオカード及びメモリースティックＰＲＯ−ＨＧ  デュオカードを「カードＢ」と呼び、ｘＤ−Ｐｉｃｔｕｒｅカードを「カードＣ」と呼ぶものとする。
【００１５】
図１は、本発明の一実施の形態に係るコネクタ１の外観を示す斜視図である。なお、以下においては、適宜、図１に示す紙面下方側を「コネクタ１の前方側」又は単に「前方側」と呼び、同図に示す紙面上方側を「コネクタ１の後方側」又は単に「後方側」と呼ぶものとする。また、図１に示す紙面右方側を「コネクタ１の右方側」又は単に「右方側」と呼び、同図に示す紙面左方側を「コネクタ１の左方側」又は単に「左方側」と呼ぶものとする。
【００１６】
図１に示すように、本実施の形態に係るコネクタ１は、合成樹脂材料などの絶縁材料を成形して形成されるハウジング２と、金属薄板材料に打ち抜き加工及び折り曲げ加工などを施して形成されるカバー部材３とを備えている。ハウジング２は、概して偏平な直方体形状を有しており、その上方側及び前方側に開口した空間を有している。カバー部材３は、ハウジング２の上方側の開口部に対応する形状を有しており、ハウジング２の上方側から被せられる。これらを組み合わせることにより、コネクタ１は、前方側にのみ開口した形状となり、この開口部でカード挿入口４が構成される。なお、カバー部材３は、合成樹脂材料などの絶縁材料を成型して形成しても良い。
【００１７】
カバー部材３の前方側の中央部には、カード挿入口４を介して装着されたカードを引き抜き易くするための切り欠き部３０１が形成されている。また、カバー部材３の上面には、複数の付勢片３０２が形成されている。これらの付勢片３０２は、僅かに下方側に折り曲げられ、コネクタ１に挿入されたカードＡ、並びに、後述する係止部材７０３を上方側から付勢する。さらに、カバー部材３の側面には、後述するハウジング２の係合片２０３と係合する複数の開口部３０３が形成されている。さらに、カバー部材３の上面の前方側には、後述するハウジング２の凹部２０４（図１に不図示）に係合する一対の係合片３０４が形成されている。これらの係合片３０４がハウジング２の凹部２０４に係合する一方、複数の開口部３０３にハウジング２の係合片２０３が係合することで、ハウジング２に対してカバー部材３が固定されることとなる。
【００１８】
以下、本実施の形態に係るコネクタ１の内部の構成について説明する。図２は、本実施の形態に係るコネクタ１の内部の構成を説明するための斜視図である。図３は、本実施の形態に係るコネクタ１の内部の構成を説明するための上面図である。図４は、図２及び図３に示すコネクタ１を前方側から示す図である。なお、図２、図３及び図４においては、図１に示す状態のコネクタ１からカバー部材３を取り除いた場合について示している。
【００１９】
図２に示すように、ハウジング２の内部には一定の空間が形成されており、この空間の一部で複数種類のカードが選択的に装着可能な空間（以下、適宜「カード装着部」という）が構成される。このカード装着部には、複数種類のカードに対応するコンタクト、カード装着部に所定のカードを装着する際に当該カードを案内するガイド部材５、カード装着部を上下に仕切る仕切板６、複数種類のカードの排出を行う排出機構７、並びに、カードＡの装着の有無等を検出する検出機構８が配設されている。
【００２０】
ハウジング２内の空間において、ガイド部材５は、カード挿入口４の僅かに内部側（後方側）の位置に配設されている。仕切板６は、このガイド部材５よりも更に内部側（後方側）の位置に配設されている。そして、この仕切板６の右方側の位置に排出機構７が配設されており、仕切板６の左方側の位置に検出機構８が配設されている。なお、複数種類のカードに対応するコンタクトは、カード挿入口４からのカードの挿入経路上に適宜配設されている。
【００２１】
ハウジング２は、コネクタ１の底面部を構成するベース部２０１と、コネクタ１の側端部において、このベース部２０１から上方側に垂直に立設された側壁部２０２とを有している。ベース部２０１には、詳細について後述するように、複数種類のカードに対応するコンタクトが設けられると共に、これらのコンタクトを保護するための構成が形成されている。
【００２２】
側壁部２０２の外側面には、カバー部材３の開口部３０３と係合する複数の係合片２０３が設けられている。また、側壁部２０２の前端部近傍の上面には、カバー部材３の係合片３０４を収容すると共に、ガイド部材５の一部を収容する凹部２０４が形成されている。側壁部２０２の前面部の内側面は、カード挿入口４の一部を規定するものであり、主にカードＡの挿入をガイドする第１ガイド部２０５と、カードＣの挿入をガイドする第２ガイド部２０６とが形成されている。
【００２３】
図４に示すように、第１ガイド部２０５は、側壁部２０２の上端側に形成されており、挿入時におけるカードＡの側面及び下面をガイドするように構成されている。一方、第２ガイド部２０６は、第１ガイド部２０５よりも下方側に形成され、挿入時におけるカードＣの上面、側面及び下面をガイドするように構成されている。
【００２４】
左方側の側壁部２０２は、前方側における一部が左方側に突出した形状を有しており、この突出した部分の内部空間に仕切板６の一部が収容されている。また、左方側の側壁部２０２には、カードＡの挿入及び書込み防止機能の状態を検出する検出機構８の構成部材を収容する２つの収容部２０７が形成されている。収容部２０７は、コネクタ１におけるカードの挿入方向に沿って並んで配設されている。
【００２５】
右方側の側壁部２０２における後面部の内側面には、排出機構７の一部を構成する圧縮ばね７０２の一端を保持する保持片２０８が形成されている。保持片２０８は、コネクタ１の前方側に向かって一定長さだけ延出している（図７参照）。また、この後面部には、排出機構７の一部を構成する係止部材７０３の一端を係止する係止穴２０９が形成されている。この係止穴２０９は、係止部材７０３の一端が上方側から差し込まれるように構成されている。
【００２６】
ベース部２０１の後方側端部には、ハウジング２の後壁部を構成するコンタクトユニット２１０が配設されている。コンタクトユニット２１０は、例えば、ベース部２０１に接着固定される。コンタクトユニット２１０の前面には、コネクタ１の左右方向に整列して複数のカードＡ用のコンタクト（以下、適宜「カードＡ用コンタクト」という）２１１が設けられている。
【００２７】
カードＡ用コンタクト２１１は、基端部がコンタクトユニット２１０に固定される一方、先端部がコネクタ１の前方側であって僅かに上方側に延在し、一定範囲で上下方向に揺動可能となっている。カードＡ用コンタクト２１１は、ＳＤカード、ＳＤＨＣカード及びＭＭＣカード用のコンタクト２１１ａと、このコンタクト２１１ａよりも前方側に延出するＳＤＨＣカード用のコンタクト２１１ｂとを有している。カードＡ用コンタクト２１１の先端部は、下方側に折り曲げられており、その折曲部近傍でカードＡの接触パッドと接触するように構成されている。詳細について後述するように、カードＡ用コンタクト２１１の先端部（最も右方側のものを除く）は、仕切板６に形成された開口部６０５、６０７に収容される位置に配置されている。なお、これらのカードＡ用コンタクト２１１の一端は、コンタクトユニット２１０の後方側からコネクタ１の外部に導出され、カードＡに対する信号を入出力可能に構成されている。
【００２８】
コンタクトユニット２１０の前面の上方側には、コネクタ１の前方側に突出する複数の突出片２１２が設けられている。突出片２１２は、カードＡ用コンタクト２１１の上方側であって、コンタクト２１１ｂの基端部に対応する部分に設けられている。これらの突出片２１２は、仕切板６の後方側端部における一定位置以上の上方側への移動を規制する役割を果たすものである。
【００２９】
ガイド部材５は、ハウジング２の前方側であって、右方側の側壁部２０２の近傍に配設されている。ガイド部材５は、図４に示すように、その一部がカード挿入口４に臨む位置に配設されている。なお、ガイド部材５は、その右方側部分で後述するハウジング２の突出片２１８に取り付けられ、カードＣの挿入に伴って上下方向に移動可能に構成されている。
【００３０】
仕切板６は、コネクタ１に挿入されるカードの種類に応じて、カード装着部内で僅かに上下方向に揺動可能に構成されている。仕切板６は、概して平板形状を有しており、その中央部分でコネクタ１の左右方向に分割されている。仕切板６は、ガイド部材５の後方側近傍からコンタクトユニット２１０の突出片２１２の下方側領域に延在する長さを有している。また、仕切板６は、前方側の端部近傍において、コネクタ１の側方側に広がる形状を有しており、前方側端部にハウジング２の左右の側壁部２０２近傍まで延在するアーム部６０１を有している。アーム部６０１には、後述するハウジング２の突出片２１８が挿通される孔６０２と、カード装着部に挿入されたカードＡの先端が当接する傾斜部６０３が設けられている。なお、これらの傾斜部６０３は、図４に示すように、第１ガイド部２０５の内部側（後方側）の位置に配設されている。
【００３１】
この場合において、仕切板６は、カード装着部を上下に分割して上部カード装着部及び下部カード装着部を形成する役割を果たす。本実施の形態に係るコネクタ１において、上部カード装着部には、第１カードとしてのカードＡが装着され、下部カード装着部には、第２カードとしてのカードＢ又は第３カードとしてのカードＣが装着されるものとなっている。なお、上述したガイド部材５は、下部カード装着部の一方の側方側（右方側）であって、仕切板６の下方側に配設されている。下部カード装着部に装着されるカードＢの幅寸法は、カードＣの幅寸法よりも小さく設定されており、ガイド部材５は、この幅寸法の小さいカードＢを適切に案内できるように配設されている。
【００３２】
排出機構７は、スライド部材７０１と、圧縮ばね７０２と、係止部材７０３とから構成されている。スライド部材７０１は、概してコネクタ１の前後方向に延在する直方体形状を有しており、ハウジング２の右方側の側壁部２０２に沿って前後方向にスライド可能に構成されている。詳細について後述するように、スライド部材７０１は、使用者によるカードに対する押圧操作に応じて、カードをコネクタ１における所定の装着位置から排出位置に移動させる役割を果たすものである。
【００３３】
圧縮ばね７０２は、上述のように、後方側の端部がハウジング２の保持片２０８に保持され、前方側の端部がスライド部材７０１の下面側の不図示の保持片に保持されており、スライド部材７０１を前方側に付勢する付勢力を付与している。係止部材７０３は、その前端部及び後端部で下方側に折り曲げられた形状を有している。上述のように、後方側の一端がハウジング２の係止穴２０９に差し込まれ、前方側の一端がスライド部材７の上面に形成された後述のガイド溝７１０と係合している。係止部材７０３は、圧縮ばね７０２による付勢力に抗してスライド部材７０１の前方側への移動を規制する役割を果たすものである。なお、この係止部材７０３には、上方からカバー部材３の付勢片３０２が載置され、ガイド溝７１０に係合するよう下方側に僅かに付勢された状態となっている。
【００３４】
検出機構８は、図３に示すように、板状部８０１と、当接部８０２と、不図示の接点部とから構成される。板状部８０１は、ハウジング２の収容部２０７に収容される。当接部８０２は、板状部８０１の内側面に設けられており、その一部がカードＡの挿入経路上に延出した状態となっている。接点部は、板状部８０１の下方側のベース部２０１に配設された固定接点部と、板状部８０１の下面部に揺動可能に固定された可動接点部とから構成される。この可動接点部は、トーションスプリングで構成され、カードＡの装着状態及び後述する書込み防止スイッチＳＷの状態に応じて、当接部８０２が変位して板状部８０１の角度を変化させることで、可動接点部と固定接点部との間の導通状態、非導通状態を切り替えるものとなっている。
【００３５】
図５は、本実施の形態に係るコネクタ１の内部の構成を説明するための斜視図である。図６は、本実施の形態に係るコネクタ１の内部の構成を説明するための上面図である。なお、図５及び図６においては、図２及び図３に示す状態のコネクタ１から仕切板６を取り除いた場合について示している。
【００３６】
図５に示すように、ハウジング２のベース部２０１の中央近傍には、コネクタ１の左右方向に整列して複数のカードＢ用のコンタクト（以下、適宜「カードＢ用コンタクト」という）２１３、２１４が設けられている。カードＢ用コンタクト２１３は、カードＡ用コンタクト２１１の下方側に設けられている。カードＢ用コンタクト２１３の基端部がベース部２０１に固定される一方、先端部がコネクタ１の前方側であって僅かに上方側に延在し、一定範囲で上下方向に揺動可能となっている。また、カードＢ用コンタクト２１３の先端部は、カードＡ用コンタクト２１１と同様に、下方側に折り曲げられており、その折曲部近傍でカードＢの接触パッドと接触するように構成されている。カードＡ用コンタクト２１１と、カードＢ用コンタクト２１３とは、カード装着部において上下２段に設けられ、図６に示すように、平面視で一部が重なり合うように配置されている。これにより、コネクタ１内の限られたカード装着部を有効に活用できるものとなっている。
【００３７】
カードＢ用コンタクト２１４は、カードＢ用コンタクト２１３の前方側の位置に設けられている。カードＢ用コンタクト２１４の基端部がベース部２０１に固定される一方、先端部がコネクタ１の後方側であって僅かに上方側に延在し、一定範囲で上下方向に揺動可能となっている。また、カードＢ用コンタクト２１４の先端部は、カードＡ用コンタクト２１１と同様に、下方側に折り曲げられており、その折曲部近傍でカードＢの接触パッドと接触するように構成されている。なお、これらのカードＢ用コンタクト２１３、２１４の一端は、ベース部２０１の後方側からコネクタ１の外部に導出され、カードＢに対する信号を入出力可能に構成されている。
【００３８】
例えば、カードＢ用コンタクト２１３は、メモリースティック  デュオカード及びメモリースティック  ＰＲＯ−ＨＧ  デュオカードに対応するコンタクトであり、カードＢ用コンタクト２１４は、メモリースティック  ＰＲＯ−ＨＧ  デュオカードに対応するコンタクトである。メモリースティック  ＰＲＯ−ＨＧ  デュオカードは、メモリースティック  デュオカードと異なり、コンタクトとの接触パッドが一部分割されているため、本実施の形態に係るコネクタ１においては、別途、カードＢ用コンタクト２１４を設けている。
【００３９】
また、ベース部２０１には、コネクタ１の左右方向に整列して複数のカードＣ用のコンタクト（以下、適宜「カードＣ用コンタクト」という）２１５が設けられている。カードＣ用コンタクト２１５は、カードＢ用コンタクト２１４の前方側であって、ガイド部材５の僅かに後方側の位置に設けられている。カードＣ用コンタクト２１５の基端部がベース部２０１に固定される一方、先端部がコネクタ１の後方側であって僅かに上方側に延在し、一定範囲で上下方向に揺動可能となっている。また、カードＣ用コンタクト２１５の先端部は、カードＡ用コンタクト２１１と同様に、下方側に折り曲げられており、その折曲部近傍でカードＣの接触パッドと接触するように構成されている。なお、これらのカードＣ用コンタクト２１５の一端は、ベース部２０１の前方側からコネクタ１の外部に導出され、カードＣに対する信号を入出力可能に構成されている。
【００４０】
カードＣ用コンタクト２１５の近傍には、カードＣ用コンタクト２１５を保護するための保護板２１６が配設されている。保護板２１６は、概して、コネクタ１の左右方向に延在する長方形状の板状部材で構成され、その前方側の端部でベース部２０１に保持されている。また、下方に配置される支持片により押し上げられ、カードＣの挿入に伴って後方側の先端部が僅かに上下方向に揺動可能となっている。保護板２１６には、複数のカードＣ用コンタクト２１５を収容する溝部２１７が形成されている。カードＣの非挿入時において、この溝部２１７にカードＣ用コンタクト２１５を収容することで、カードＣ用コンタクト２１５を保護するものとなっている。
【００４１】
さらに、ベース部２０１における保護板２１６の側方であって、左右の側壁部２０２の近傍には、一対の突出片２１８が立設されている。これらの突出片２１８は、仕切板６のアーム部６０１に設けられた孔６０２に挿通され、仕切板６の位置決めを行うと共に、その揺動動作をガイドする役割を果たす。なお、右方側に配置された突出片２１８は、ガイド部材５に形成された後述の孔５０１に挿通され、ガイド部材５の位置決めを行うと共に、その上下動作をガイドする役割を果たす。
【００４２】
これらの突出片２１８には、それぞれコイルばね２１９が取り付けられている。左方側に配置される突出片２１８に対応するコイルばね２１９は、ベース部２０１と仕切板６との間に配置され、仕切板６を上方側に付勢するように構成されている。一方、右方側に配置される突出片２１８に対応するコイルばね２１９は、ガイド部材５と仕切板６との間に配置され、仕切板６を上方側に付勢する一方、ガイド部材５を下方側に付勢するように構成されている。すなわち、ガイド部材５と仕切板６は、このコイルばね２１９により相互に上下動可能に構成されている。
【００４３】
図７は、本実施の形態に係るコネクタ１の内部の構成を説明するための斜視図である。図８は、本実施の形態に係るコネクタ１の内部の構成を説明するための上面図である。なお、図７及び図８においては、図５及び図６に示す状態のコネクタ１からコンタクトユニット２１０、保護板２１６、コイルばね２１９、ガイド部材５及び排出機構７を取り除いた場合について示している。
【００４４】
図７及び図８に示すように、ハウジング２のベース部２０１には、カードＢ用コンタクト２１３と、カードＢ用コンタクト２１４との間に、コネクタ１の左右方向に整列して、カードＢ用コンタクト２１３を保護するための複数の突出片２２０が設けられている。複数の突出片２２０は、カードＢの挿入時にカードＢ用コンタクト２１３がカードＢにより座屈しないように保護するものである。
【００４５】
また、最も左方側に配置された突出片２２０の左方側には、カードＢにおける逆方向での挿入を防止するための突出片２２１が設けられている。突出片２２１は、カードＢが逆方向に挿入された場合にその先端部に当接することで、カードＢの逆方向での挿入を防止するものとなっている。なお、カードＢが適切な方向で挿入された場合、突出片２２１は、カードＢの下面に形成される凹部に収容されるので、その挿入動作を規制することはない。
【００４６】
また、ベース部２０１には、保護板２１６を支持するための支持片２２２が設けられている。支持片２２２は、最も左方側に配置されたカードＣ用コンタクト２１５の左方側に設けられている。また、カードＣ用コンタクト２１５と同様に、支持片２２２の基端部がベース部２０１に固定される一方、先端部がコネクタ１の後方側であって僅かに上方側に延在している。なお、支持片２２２は、カードＣ用コンタクト２１５よりも大きな金属片で構成され、カードＣ用コンタクト２１５よりも僅かに上方側の位置に配置されている。
【００４７】
コンタクトユニット２１０の下方側には、カードＢの装着、非装着状態を検出する検出機構９が配設されている。検出機構９は、スライド部材７０１の先端部と当接し、コネクタ１の左方側にスライド移動するレバー部材９０１と、このレバー部材９０１を右方側に付勢するコイルばね９０２と、レバー部材９０１に固定された可動接点部と、レバー部材９０１の下方側のベース部２０１に設けられた固定接点部とから構成される。可動接点部は、カードＢの装着、非装着状態に伴うレバー部材９０１の位置に応じて固定接点部との間の導通状態、非導通状態を切り替えるものとなっている。また、検出機構９は、スライド部材７０１と連動して駆動するものであるため、カードＡ及びカードＣの装着、非装着状態の検出にも使用可能となっている。なお、この検出機構９の構成及び動作については後述する。
【００４８】
さらに、特定のカードＢ用コンタクト２１４の間には、挿入される場合、並びに、装着された場合にカードＢの下面をガイドする複数のガイド片２２３が設けられている。これらのガイド片２２３は、カードＢ用コンタクト２１４がカードＢの挿入に伴って下方側に押圧された場合に、カードＢの下面に当接するように構成されている。
【００４９】
図９は、本実施の形態に係るコネクタ１の内部の構成を説明するための斜視図である。図１０は、本実施の形態に係るコネクタ１の内部の構成を説明するための上面図である。なお、図９及び図１０においては、図７及び図８に示す状態のコネクタ１から検出機構８の板状部８０１及び当接部８０２、並びに、検出機構９のレバー部材９０１及びコイルばね９０２を取り除いた場合について示している。
【００５０】
図９及び図１０に示すように、検出機構９を構成するレバー部材９０１の下方側のベース部２０１には、後述するレバー部材９０１の凹部９０３ｂと係合する係合片２２４が設けられている。係合片２２４は、ベース部２０１から僅かに上方側に突出して設けられており、その上面に左方側に向かって僅かに傾斜する傾斜面を有している。この係合片２２４は、ハウジング２にレバー部材９０１を取り付ける際、レバー部材９０１の凹部９０３ｂと係合してレバー部材９０１を仮止めする役割を果たすものである。この場合、レバー部材９０１を取り付ける際、コイルばね９０２の付勢力に抗してレバー部材９０１を手で押さえておき、これに当接するスライド部材７０１を取り付けるといった作業を行う必要がなくなるので、レバー部材９０１を取り付ける際の作業効率を向上することが可能となっている。
【００５１】
また、検出機構９を構成するレバー部材９０１の下方側のベース部２０１には、検出機構９を構成する固定接点部２２５ａ、２２５ｂが設けられている（図１０参照）。固定接点部２２５ａ、２２５ｂは、左右方向に一定間隔を有して配置され、レバー部材９０１のスライド移動に応じて後述する可動接点部の端部が離接可能な位置に設けられている。さらに、この固定接点部２２５ａ、２２５ｂの近傍のベース部２０１には、レバー部材９０１を取り付ける際の位置決めに用いられる係合片２２６、２２７が設けられている。これらの係合片２２６、２２７は、後述するレバー部材９０１の凹部９０７、９０８に収容されるものとなっている。
【００５２】
さらに、カードＢ用コンタクト２１３が設けられた開口部の側方側のベース部２０１には、カードの挿入方向に沿って矩形状を有する一対の凹部２２８が設けられている。これらの凹部２２８は、前方側に配置された傾斜面２２８ａと、後方側に配置された平面部２２８ｂとで構成され、カード装着部に装着されたカードＢの先端部を収容するように構成されている。本実施の形態に係るコネクタ１においては、カード装着部に装着されたカードＢの先端部をこの凹部２２８で収容することにより、コネクタ１の薄型化を図っている。
【００５３】
ここで、本実施の形態に係るコネクタ１が有する主要な構成部品の構成について説明する。図１１〜図１３は、本実施の形態に係るコネクタ１が有する仕切板６の構成を説明するための図である。また、図１４及び図１５は、本実施の形態に係るコネクタ１が有するガイド部材５の構成を説明するための図である。さらに、図１６は、本実施の形態に係るコネクタ１が有する保護板２１６の構成を説明するための図である。図１７は、本実施の形態に係るコネクタ１が有する排出機構７の構成を説明するための図である。図１８及び図１９は、本実施の形態に係るコネクタ１が有するレバー部材９０１の構成を説明するための図である。
【００５４】
まず、本実施の形態に係るコネクタ１が有する仕切板６の構成について説明する。図１１は、本実施の形態に係るコネクタ１が有する仕切板６を上方側から見た場合の斜視図である。図１２は、本実施の形態に係るコネクタ１が有する仕切板６の上面図である。図１３は、本実施の形態に係るコネクタ１が有する仕切板６を下方側から見た場合の斜視図である。
【００５５】
仕切板６は、例えば、絶縁性の樹脂材料を成形して形成される。図１１〜図１３に示すように、仕切板６は、その中央にコネクタ１の前後方向に延出して形成されたスリットにより分割されており、左方側部分の配置された仕切板６ａの先端部は、右方側に配置された仕切板６ｂよりもカード挿入口４側（コネクタ１の前方側）に延出している。また、仕切板６のアーム部６０１の下面には、図１３に示すように、コイルばね２１９を収容する凹部６０１ａが設けられている。また、右方側に配置されるアーム部６０１は、概して矩形状を有しており、後述するガイド部材５の凹部５０６に収容されるように構成されている。
【００５６】
また、仕切板６の上面部には、図１１及び図１２に示すように、カードＡ用コンタクト２１１ｂに対応する位置に複数の凹部６０４が形成されている。凹部６０４は、カードＡ用コンタクト２１１ｂの形状に応じてカード挿入方向に沿って設けられている。凹部６０４の前方側の位置には、複数の開口部６０５が形成されている。これらの開口部６０５は、カードＡ用コンタクト２１１ｂの先端部に対応する位置に配置されており、カードＢ、Ｃの装着に伴って接近する当該先端部を収容可能に構成されている。これらの開口部６０５の前方側の位置には僅かに上方側に突出した突出部６０６が設けられている。突出部６０６は、カードＡが誤った方向で挿入された場合（逆方向に挿入された場合）、或いは、異なるカードが挿入された場合にカードの挿入方向の先端部と当接することで、カードＡ用コンタクト２１１ｂを保護するものである。
【００５７】
さらに、凹部６０４の中央部近傍の側方には、仕切板６の左右方向に並んで複数の開口部６０７が設けられている。これらの開口部６０７は、カードＡ用コンタクト２１１ａの先端部に対応する位置に形成されており、開口部６０５と同様に、カードＢ、Ｃの装着に伴って接近するカードＡ用コンタクト２１１ａの先端部を収容可能に構成されている。これらの開口部６０７の側方には、複数の突出片６０８が設けられている。これらの突出片６０８は、突出部６０６と同様に、カードＡの誤挿入された場合などにカードＡ用コンタクト２１１ａを保護すると共に、カードＡ用コンタクト２１１ａとカードＡ用コンタクト２１１ｂとの接触を防止するものである。
【００５８】
さらに、左方側に配置されるアーム部６０１における下面部であって、凹部６０１ａの内側（右方側）には、図１３に示すように、下方側に突出する突出片６０９が設けられている。突出片６０９は、コネクタ１の前後方向に沿って一定長さを有しており、カードＣが挿入された場合にカードＣと当接して仕切板６を上方側に移動させる役割を果たす。なお、この突出片６０９の前方側の端部には、カードＣを仕切板６の下方側に進入し易くするためにテーパ面６０９ａが形成されている。
【００５９】
次に、本実施の形態に係るコネクタ１が有するガイド部材５の構成について説明する。図１４は、本実施の形態に係るコネクタ１が有するガイド部材５の斜視図である。図１５は、本実施の形態に係るコネクタ１が有するガイド部材５の側面図（同図（ａ））、上面図（同図（ｂ））、正面図（同図（ｃ））及び下面図（同図（ｄ））である。
【００６０】
ガイド部材５は、例えば、絶縁性の樹脂材料を成形して形成される。ガイド部材５は、図１４及び図１５に示すように、ハウジング２に設けられた突出片２１８が挿通される孔５０１が右方側端部に形成された底面部５０２と、この底面部５０２の前方側に設けられた前壁部５０３と、底面部５０２の左方側に設けられた側壁部５０４と、底面部５０２の右後方側端部に設けられた突出片５０５とから構成されている。ガイド部材５においては、底面部５０２の上方側であって、前壁部５０３、側壁部５０４及び突出片５０５の間の空間に仕切板６のアーム部６０１を収容する凹部５０６が設けられている。すなわち、仕切板６のアーム部６０１とガイド部材５の凹部５０６とは、互いに噛み合う凹凸形状を有している。
【００６１】
底面部５０２における孔５０１の周囲には、概して円形状を有する凹部５０２ａが形成されている。この凹部５０２ａには、突出片２１８に取り付けられたコイルばね２１９の下端部が収容される。すなわち、突出片２１８に取り付けられたコイルばね２１９は、凹部５０６に収容されたアーム部６０１の下面に設けられた凹部６０１ａの下面でその上端部が支持される一方、その下端部がガイド部材５の凹部５０２ａの上面で支持されるものとなっている。このようにガイド部材５と仕切板６との間にコイルばね２１９が配設されているので、このコイルばね２１９の付勢力によりガイド部材５と仕切板６とが相互に上下動可能に構成されている。このように本実施の形態においては、限られた空間内でガイド部材５と仕切板６とを相互に上下動させることができるので、カード装着部の寸法を縮小でき、コネクタ１自体の薄型化を図っている。
【００６２】
前壁部５０３には、コネクタ１の前方側に突出する突出部５０３ａが設けられている。この突出部５０３ａは、ハウジング２の前方側端部近傍に設けられた凹部２０４に上下動可能に収容され、ガイド部材５の位置決めを行うものとなっている（図３参照）。また、この突出部５０３ａの左方側には、傾斜部５０３ｂが設けられている。この傾斜部５０３ｂは、カード装着部に挿入されたカードＣをガイド部材５の下方側に案内する第３ガイド面として機能するものであり、その下方側の一部が側壁部５０４の下面と連続して設けられている。このように傾斜部５０３ｂの一部を側壁部５０４の下面に連続して設けているので、カード装着部に挿入されたカードＣを適切にガイド部材５の下方側に案内することが可能となっている。
【００６３】
側壁部５０４は、カード装着部に向けて設けられた複数の平面部５０４ａ〜５０４ｃを側面部として有している。これらの平面部５０４ａ〜５０４ｃは、カード装着部に挿入されたカードＢの側方を案内する第１ガイド面として機能するものであり、カードＢを平面部５０４ｃの左方側に形成されるその挿入経路に案内する。平面部５０４ａの下部には、上述した傾斜部５０３ｂの一部が配置されている。平面部５０４ｂ、５０４ｃの下方側部分には、左方側に突出する突出片５０７が設けられている。
【００６４】
突出片５０７は、概して板状を有しており、その上面でカード装着部に挿入されたカードＢを案内する一方、その下面でカード装着部に挿入されたカードＣを案内する。突出片５０７の上面には、カードの挿入方向に沿って上向きに傾斜する傾斜面５０７ａと、カードの挿入方向に沿って下向きに傾斜する傾斜面５０７ｂとが設けられている。傾斜面５０７ａは、平面部５０４ｂに対応して設けられ、カード装着部に挿入されたカードＢの先端と当接し、ガイド部材５を下方側に移動させる役割を果たす。一方、傾斜面５０７ｂは、平面部５０４ｃに対応して設けられ、所定位置まで挿入されたカードＢを僅かに傾斜した状態で案内及び支持する役割を果たす。また、突出片５０７の下面には、水平に設けられた平面部５０７ｃと、カードの挿入方向に沿って上向きに傾斜する傾斜面５０７ｄとが設けられている。傾斜面５０７ｄは、平面部５０７ｃの後端部に連続して設けられている。なお、この平面部５０７ｃは、カードＣの上方を案内する第２ガイド面として機能するものである。
【００６５】
このようにガイド部材５においては、平面部５０４ａ〜５０４ｃでカードＢの側方を案内する一方、傾斜部５０３ｂでガイド部材５の下方側に案内したカードＣの上方を平面部５０７ｃで案内するようにしていることから、仕切板６の下方に形成される下部カード装着部において、単一のガイド部材５で適切にカードＢ及びカードＣを案内することが可能となっている。
【００６６】
次に、本実施の形態に係るコネクタ１が有する保護板２１６の構成について説明する。図１６（ａ）は、本実施の形態に係るコネクタ１が有する保護板２１６の斜視図であり、同図（ｂ）は、本実施の形態に係るコネクタ１が有する保護板２１６の上面図である。
【００６７】
図１６に示すように、保護板２１６の前方側端部には、コネクタ１の側方側に延出する軸部２１６ａが形成されている。保護板２１６は、軸部２１６ａをハウジング２のベース部２０１に形成された不図示の孔に挿通することで、その後方側端部を僅かに揺動可能にハウジング２に支持される。保護板２１６は、カードが挿入されていない状態において、ハウジング２に設けられた支持片２２２によって、図１６（ａ）に示すように傾斜した状態で支持されている。保護板２１６の上面であって、後方側の端部近傍には、支持面２１６ｂが形成されている。支持面２１６ｂは、カードが挿入されていない状態において、保護板２１６の他の表面より僅かに傾斜角度が小さくなっている。支持面２１６ｂは、カードＢの挿入過程において、カードＢの下面をガイドする役割を果たす。
【００６８】
次に、本実施の形態に係るコネクタ１が有する排出機構７の構成について説明する。図１７は、本実施の形態に係るコネクタ１が有する排出機構７を上方側から見た場合の斜視図（同図（ａ））及び上面図（同図（ｂ））である。なお、図１７においては、排出機構７を構成する圧縮ばね７０２を省略し、カードが装着されていない状態（初期状態）について示している。
【００６９】
図１７に示すように、スライド部材７０１には、カードＡの右方側の先端部と当接する第１当接部７０４、カードＢの右方側の先端部と当接する第２当接部７０５、並びに、カードＣの右方側の先端部と当接する第３当接部７０６が設けられている。第１当接部７０４は、概してスライド部材７０１の上方側部分に設けられ、第２当接部７０５及び第３当接部７０６は、概してスライド部材７０１の下方側部分に設けられている。このようにスライド部材７０１には、カードＡ〜Ｃと当接する第１当接部７０４〜第３当接部７０６が設けられていることから、単一のスライド部材７０１でカードＡ〜カードＣを排出することが可能となっている。
【００７０】
第１当接部７０４は、カードＡの先端部の形状に応じた傾斜面で構成されており、第２当接部７０５及び第３当接部７０６は、カードの挿入方向に直交する平面で構成されている。スライド部材７０１は、これらの第１当接部７０４〜第３当接部７０６でカードＡ〜カードＣと当接し、使用者による各カードの挿入動作に伴ってコネクタ１の前後方向にスライド可能に構成されている。
【００７１】
第１当接部７０４の前方側には、カードＡの下面の一部を支持する支持部７０７が設けられている。支持部７０７の左方側には、コンタクトユニット２１０の最も右方側に配置されるカードＡ用コンタクト２１１を収容する凹部７０８が設けられている。この凹部７０８の前方側端部には、当該カードＡ用コンタクト２１１を保護するための突出片７０９が立設されている。
【００７２】
また、スライド部材７０１の上面であって、第１当接部７０４の後方側には、概してループ状のガイド溝７１０が形成されている。ガイド溝７１０の中央には、概してハート形状を有するハート形カム７１１が設けられている。ガイド溝７１０は、図１７（ｂ）に示すように、ハート形カム７１１の両側に配置される第１ガイド溝７１２、第２ガイド溝７１３、係止部材７０３を係止する係止部７１４を有する凹み溝７１５、並びに、第１ガイド溝７１２及び第２ガイド溝７１３に連結される直線状ガイド溝７１６で構成される。係止部材７０３は、このようなガイド溝７１０をカードの挿入動作に応じて一定方向に進む。なお、ガイド溝７１０における係止部材７０３の案内経路上には、係止部材７０３の逆方向への進行を防止する段差部が形成されている。
【００７３】
このようなガイド溝７１０において、カードが装着されていない場合、係止部材７０３は、図１７（ｂ）に示すように、直線状ガイド溝７１６の後方側端部に配置された状態となっている。カードが挿入されると、スライド部材７０１の後方側への移動に伴って係止部材７０３が直線状ガイド溝７１６を介して第１ガイド溝７１２に進む。そして、係止部材７０３が第１ガイド溝７１２の前方側端部に到達する位置までカードが押し込まれると、係止部材７０３は、凹み溝７１５に進み、この状態で、カードの押し込みを止めて手を離すと、スライド部材７０１は圧縮ばね７０２の付勢力により若干前方側に移動する。そして、この移動により係止部材７０３が凹み溝７１５内を移動して、係止部材７０３が係止部７１４に係止された状態（ロック状態）となる。
【００７４】
係止部材７０３が係止部７１４に係止された状態（ロック状態）から、更にカードが押し込まれると（所謂、オーバーストローク状態）、係止部材７０３は、凹み溝７１５から第２ガイド溝７１３に進む。そして、第２ガイド溝７１３から直線状ガイド溝７１６に進み、再び、係止部材７０３が直線状ガイド溝７１６の後方側端部に配置された状態となる。
【００７５】
また、第２当接部７０５の前方側には、コネクタ１に挿入されたカードＢを係止する係止片７１７が設けられている。係止片７１７は、スライド部材７０１の左方側の側面から突出して設けられ、コネクタ１の前後方向に延出した形状を有している。この係止片７１７は、カードＢの下面に形成される凹部と係合し、カード装着部に挿入されたカードＢを係止するものとなっている。このようにスライド部材７０１に設けた係止片７１７がカードＢの凹部と係合することにより、カード装着部に装着されたカードＢが抜けるのを防止できるものとなっている。
【００７６】
さらに、第２当接部７０５の後方側には、上述した検出機構９のレバー部材９０１と当接する当接部７１８が設けられている。当接部７１８は、コネクタ１の右後方側に向かって傾斜する傾斜面を有し、後述するレバー部材９０１の傾斜面９０３ａと当接するように構成されている。当接部７１８は、カードＢの挿入に伴ってスライド部材７０１が後方側の所定位置まで移動すると、レバー部材９０１と当接し、レバー部材９０１を左方側に移動させる。
【００７７】
なお、スライド部材７０１の下面には、圧縮ばね７０２の前方側の一端を収容する不図示の凹部が形成されている。この凹部の前方側には、図１７（ｂ）に示すように、圧縮ばね７０２の一端を保持する保持片７１９が設けられている。この保持片７１９は、概して円柱形状を有しており、コネクタ１の後方側に向かって一定長さ延出して設けられている。
【００７８】
次に、本実施の形態に係るコネクタ１が有するレバー部材９０１の構成について説明する。図１８は、本実施の形態に係るコネクタ１が有するレバー部材９０１の斜視図である。図１９は、本実施の形態に係るコネクタ１が有するレバー部材９０１の下面図（同図（ａ））及び背面図（同図（ｂ））である。なお、図１８においては、レバー部材９０１を後方側から見た場合の斜視図について示している。
【００７９】
レバー部材９０１は、例えば、絶縁性の樹脂材料を成形して形成され、概して、直方体形状を有し、コネクタ１の左右方向に延在するように配置される。レバー部材９０１の一端には、図１８及び図１９（ａ）に示すように、スライド部材７０１の当接部７１８と当接する当接部９０３が設けられ、その他端には、コイルばね９０２を保持する保持片９０４が設けられている（図７及び図８参照）。なお、当接部９０３の先端には傾斜面９０３ａが設けられている。また、当接部９０３の下面には、ベース部２０１の係合片２２４を収容する凹部９０３ｂが設けられている。なお、この凹部９０３ｂは、カードＢの挿入に伴ってレバー部材９０１が左方側にスライド移動できるように係合片２２４よりも少し大きく設けられている。
【００８０】
レバー部材９０１の後面の中央部近傍には、可動接点部としてのトーションばね９０５を収容する収容部９０６が設けられている。この収容部９０６の中央には、トーションばね９０５の曲げ部９０５ａが取り付けられる突出片９０６ａが設けられている。この突出片９０６ａに曲げ部９０５ａが取り付けられた状態において、トーションばね９０５は、その端部９０５ｂ、９０５ｃがレバー部材９０１の下方側に僅かに突出するように構成されている。
【００８１】
なお、レバー部材９０１の前面及び後面の所定位置には、ベース部２０１に設けられた係合片２２６、２２７を収容する凹部９０７、９０８が設けられている。これらの凹部９０７、９０８は、レバー部材９０１をハウジング２に取り付ける際、係合片２２６、２２７を収容することでレバー部材９０１の位置決めを行うと共に、カードＢの挿入に伴ってスライド移動する際にレバー部材９０１を案内する役割を果たすものである。
【００８２】
次に、本実施の形態に係るコネクタ１に対して各カードを装着する際の動作について説明する。図２０〜図２４は、本実施の形態に係るコネクタ１に対してカードＡを装着する際の動作を説明するための図である。図２５〜図３４は、本実施の形態に係るコネクタ１に対してカードＢを装着する際の動作を説明するための図である。図３５〜図３９は、本実施の形態に係るコネクタ１に対してカードＣを装着する際の動作を説明するための図である。なお、図２０〜図３９においては、説明の便宜上、カバー部材３を省略している。
【００８３】
まず、本実施の形態に係るコネクタ１に対してカードＡを装着する際の動作について説明する。図２０は、本実施の形態に係るコネクタ１に対してカードＡを挿入した場合の正面図である。図２１は、本実施の形態に係るコネクタ１に対してカードＡを挿入した場合の斜視図である。図２２は、図２１に示す状態のコネクタ１の断面図である。図２３は、本実施の形態に係るコネクタ１に対してカードＡを装着した場合の斜視図である。図２４は、図２３に示す状態のコネクタ１の断面図である。なお、図２２及び図２４においては、スライド部材７０１の係止片７１７を通過するカード挿入方向に沿った断面を示している。また、カードＡの挿入前においては、コネクタ１は、図２〜図４に示す状態となっている。
【００８４】
図２０に示すように、本実施の形態に係るコネクタ１に対してカードＡを装着する場合には、ハウジング２に設けられた第１ガイド部２０５にカードＡの側面及び下面を合わせた状態でコネクタ１の内部にカードＡを押し込む。このようにコネクタ１の内部に押し込む過程で、カードＡの先端部が仕切板６の傾斜部６０３に当接する。この状態から更にカードＡを押し込むと、図２１及び図２２に示すように、カードＡは、仕切板６の上側をコネクタ１の後方側に進む。この場合、仕切板６は、カードＡに傾斜部６０３を押されることで僅かに下方側に移動し、その下面でカードＢ用コンタクト２１３、２１４を僅かに押し下げる。このように、カードＡの挿入に伴って仕切板６の下面でカードＢ用コンタクト２１３、２１４を僅かに押し下げることで、コネクタ１内の限られた空間を有効に活用している。
【００８５】
また、図２１に示すように、カードＡの右方側の先端部が、仕切板６よりも上方側の位置においてスライド部材７の第１当接面７０４に当接する。これにより、カードＡのスライド部材７０１に対する位置が決まり、これ以降、スライド部材７０１とカードＡとが一緒に移動することとなる。なお、カードＡの先端部が第１当接面７０４に当接した時点においては、係止部材７０３の前方側の一端は、ガイド溝７１０の直線状ガイド溝７１６の後方側の端部近傍に配置されている。
【００８６】
図２１及び図２２に示す状態から更にカードＡを押し込むと、図２３及び図２４に示すように、カードＡ用コンタクト２１１がカードＡの下面に入り込み、カードＡの先端部の下面に形成された接触パッドと接触する。なお、図２３及び図２４においては、カードＡをコネクタ１の最後方側の位置まで押し込み、手を離した状態について示している。この状態においては、係止部材７０３の前方側の一端は、係止部７１４に係止された状態となっている。
【００８７】
このようにカードＡの挿入に伴ってスライド部材７が後方側に移動する際、本実施の形態に係るコネクタ１においては、ハウジング２の左方側に設けられた検出機構８によりカードＡの装着の有無、並びに、カードＡの書込み防止機能の状態を検出する。具体的には、検出機構８は、カードＡの先端部又は書込み防止スイッチＳＷと当接部８０２との当接に基づいて、板状部８０１の下面部に設けられた可動接点部と、ベース部２０１に設けられた固定接点部との導通状態に応じてこれらを検出する。
【００８８】
図２３においては、カードＡの先端部と後方側の当接部８０２とが当接し、板状部８０１の角度が変化して可動接点部と固定接点部とが導通状態となっている一方、書込み防止スイッチＳＷと前方側の当接部とが当接しておらず、板状部８０１の角度が変化せずに可動接点部と固定接点部とが非導通状態となっている場合について示している。この状態においては、検出機構８により、カードＡの装着状態が検出される一方、カードＡの書込み防止機能のオフ状態が検出されることとなる。
【００８９】
次に、本実施の形態に係るコネクタ１に対してカードＢを装着する際の動作について説明する。図２５は、本実施の形態に係るコネクタ１に対してカードＢを挿入した場合の正面図である。図２６は、本実施の形態に係るコネクタ１に対してカードＢを挿入した場合の斜視図である。図２７は、図２６に示す状態のコネクタ１の断面図である。図２８は、本実施の形態に係るコネクタ１に対してカードＢを装着した場合の斜視図である。図２９は、図２８に示す状態のコネクタ１の断面図である。なお、カードＢの挿入前においては、コネクタ１は、図２〜図４に示す状態となっている。
【００９０】
図２５に示すように、本実施の形態に係るコネクタ１に対してカードＢを装着する場合には、ガイド部材５の側壁部５０４の左方側にカードＢの右方側の側面を合わせると共に、突出片５０７の上方側にカードＢの下面を合わせた状態でコネクタ１の内部にカードＢを押し込む。なお、この場合、カードＢの左方側の側面を、左方側に配置された第１ガイド部２０５の端部に当接させることで、容易にカードＢをガイド部材５の所定位置に配置することが可能となっている。また、カードＢの下面をガイド部材５の突出片５０７により案内させることで、カードＢの下面とカードＣ用コンタクト２１５との距離を保つようにしている。このことにより、カードＢの下面がカードＣ用コンタクト２１５と接触することを防止可能となる。
【００９１】
このようにカードＢを押し込むと、図２６及び図２７に示すように、カードＢは、ガイド部材５の上側と、仕切板６の下側との間をコネクタ１の後方側に進む。この場合、カードＢは、側壁部５０４の平面部５０４ａ〜５０４ｃによりその側方を案内された状態でコネクタ１の後方側に進むこととなる。また、仕切板６は、カードＢに押されて僅かに上方側に移動し、開口部６０５、６０７の後方側部分でカードＡ用コンタクト２１１（２１１ａ、２１１ｂ）を僅かに押し上げる。この場合において、カードＡ用コンタクト２１１の先端部は、仕切板６の開口部６０５、６０７に収容される。このように開口部６０５、６０７で収容することで、カードＢの挿入に伴ってカードＡ用コンタクト２１１の先端部が破損する事態が防止されている。
【００９２】
また、コネクタ１の後方側に進む過程において、カードＢの右方側の先端部は、図２６に示すように、仕切板６の下方側の位置でスライド部材７０１の第２当接面７０５に当接する。これにより、カードＢのスライド部材７０１に対する位置が決まり、これ以降、スライド部材７０１とカードＢとが一緒に移動することとなる。なお、カードＢの先端部が第２当接面７０５に当接した時点においては、係止部材７０３の前方側の一端は、ガイド溝７１０の直線状ガイド溝７１６の後方側端部近傍に配置されている。
【００９３】
なお、カードＢを挿入する際には、図２７に示すように、その上面が仕切板６の下面でガイドされると共に、その下面がガイド部材５の突出片５０７の傾斜面５０７ｂ及び保護板２１６の支持面２１６ｂでガイドされている。これらの位置関係は、カードＢの先端部を僅かに下方側に傾斜させた状態で支持するように構成されている。このため、カードＢは、先端部を下方側に傾斜させた状態でコネクタ１の内部に押し込まれることとなる。すなわち、カードＢはコネクタ１の後方側の下側に向って斜めに横切る形で押し込まれていくこととなる。また、カードＢは保護板２１６によりガイドされることでカードＣ用コンタクト２１５との距離を保つようになっている。
【００９４】
図２６及び図２７に示す状態から更にカードＢを押し込むと、図２８及び図２９に示すように、仕切板６の下方側をカードＢが進むと共に、スライド部材７０１が後方側に移動する。この過程において、カードＢ用コンタクト２１３、２１４がカードＢの下面に入り込み、カードＢの先端部の下面に形成された接触パッドと接触する。なお、図２８及び図２９においては、カードＢをコネクタ１の最後方側の位置まで押し込み、手を離した状態について示している。この状態においては。係止部材７０３の前方側の一端は、係止部７１４に係止された状態となっている。このとき、カードＢは斜めに押し込まれるので、カードＢの先端部とスライド部材７０１の第２当接面７０５との当接位置が図２７の状態に対して下方側に移動することとなる。すなわち、カードＢを押し込むと、カードＢとスライド部材７０１との上下方向での相対位置が変化することとなり、カードＢの押し込みに伴って、カードＢがスライド部材７０１に対して下方側に移動するものとなっている。
【００９５】
なお、このように装着された状態においても、カードＢは、挿入時と同様に、突出片５０７の傾斜面５０７ｂ及び保護板２１６の支持面２１６ｂと、仕切板６の下面とによりガイドされ、先端部を下方側に傾斜させた状態で保持されている。この場合、カードＢの先端部は、図２９に示すように、ベース部２０１に形成された凹部２２８に収容されている。このように本実施の形態においては、先端部を下方側に傾斜させた状態でカードＢを保持する一方、その先端部を凹部２２８で収容しているので、コネクタ１を薄型化することが可能となっている。
【００９６】
また、図２９に示すように、カードＢが装着される過程において、カードＢがスライド部材７０１に対して下方側に移動することとなるため、スライド部材７０１の係止片７１７は、カードＢの下面に形成された凹部に入り込んだ状態となる。この場合、係止片７１７の後方側端部は、当該凹部の後方側の壁部と係合した状態となっており、仮にカードＢに対して前方側への力が作用した場合においても、カードＢがカード装着部から抜ける事態を防止することが可能となっている。
【００９７】
本実施の形態に係るコネクタ１においては、このように装着されるカードＢの装着状態を検出機構９で検出している。以下、この検出機構９における検出動作について図３０〜図３４を用いて説明する。図３０は、図２６に示す状態のコネクタ１からコンタクトユニット２１０を取り除いた状態の斜視図である。図３１は、図３０に示す状態のコネクタ１のレバー部材９０１の近傍の断面図である。図３２は、図２８に示す状態のコネクタ１からコンタクトユニット２１０を取り除いた状態の斜視図である。図３３は、図３２に示す状態のコネクタ１のレバー部材９０１の近傍の断面図である。図３４は、図３２に示す状態から更にカードＢを押し込んだ際のレバー部材９０１の近傍の断面図である。なお、図３１、図３３及び図３４においては、コネクタ１の後方側から見た断面を示している。
【００９８】
図３０に示すように、カードＢの先端部がスライド部材７０１の第２当接面７０５に当接した状態においては、スライド部材７０１の当接部７１８は、検出機構９を構成するレバー部材９０１の当接部９０３から離間した状態となっている。この場合、レバー部材９０１の後面に取り付けられたトーションばね９０５は、図３１に示すように、一方の端部９０５ｂが固定接点部２２５ｂに接触する一方、他方の端部９０５ｃがベース部２０１に接触し、固定接点部２２５ａには接触していない。このため、可動接点部であるトーションばね９０５と固定接点部２２５とが導通しておらず、検出機構９においては、カードＢの非装着状態を検出することとなる。
【００９９】
一方、図３２に示すように、カードＢが押し込まれ、係合部材７０３がカム溝７１０の係止部７１４に係止された状態（ロック状態）においては、スライド部材７０１の当接部７１８は、レバー部材９０１の当接部９０３に当接し、レバー部材９０１をコイルばね９０２の付勢力に抗して左方側に移動させている。この場合、レバー部材９０１の後面に取り付けられたトーションばね９０５は、図３３に示すように、双方の端部９０５ｂ、９０５ｃがそれぞれ固定接点部２２５ｂ、２２５ａに接触している。このため、可動接点部であるトーションばね９０５と固定接点部２２５とが導通することとなり、検出機構９においては、カードＢの装着状態を検出することとなる。
【０１００】
なお、図３２に示す状態からカードＢを抜き取るために更にカードＢが後方側に押し込まれると、スライド部材７０１が僅かに後方側に移動し、これに伴ってレバー部材９０１も僅かに左方側に移動する。この場合においても、レバー部材９０１の後面に取り付けられたトーションばね９０５は、図３４に示すように、双方の端部９０５ｂ、９０５ｃがそれぞれ固定接点部２２５ｂ、２２５ａに接触した状態を維持している。このため、検出機構９においては、図３３に示すカードＢのロック状態と同様に、カードＢの装着状態を検出することとなる。
【０１０１】
次に、本実施の形態に係るコネクタ１に対してカードＣを装着する際の動作について説明する。図３５は、本実施の形態に係るコネクタ１に対してカードＣを挿入した場合の正面図である。図３６は、本実施の形態に係るコネクタ１に対してカードＣを挿入した場合の斜視図である。図３７は、図３５に示す状態のコネクタ１の断面図である。図３８は、本実施の形態に係るコネクタ１に対してカードＣを装着した場合の斜視図である。図３９は、図３８に示す状態のコネクタ１の断面図である。なお、カードＣの挿入前においては、コネクタ１は、図２〜図４に示す状態となっている。
【０１０２】
図３５に示すように、本実施の形態に係るコネクタ１に対してカードＣを装着する場合には、ハウジング２に設けられた第２ガイド部２０６にカードＣの側面及び下面を合わせた状態でコネクタ１の内部にカードＣを押し込む。この場合、カードＣの先端部は、ガイド部材５の傾斜部５０３ｂに当接し、ガイド部材５の下方側に案内されると共に、ガイド部材５を上方側に移動させる。これにより、ガイド部材５は、カードＣの装着領域外に移動することとなる。言い換えると、ガイド部材５は、カードＣの挿入経路から上方側に退避することとなり、カード装着部（下部カード装着部）に対するカードＣの挿入を許容するものとなっている。そして、カードＣの上面は、ガイド部材５の突出片５０７の平面部５０７ｃにより案内されることとなる。
【０１０３】
このようにカードＣを押し込むと、カードＣの先端部が仕切板６に設けられた突出片６０９の下方側に入り込み、仕切板６を持ち上げる。そして、図３６及び図３７に示すように、仕切板６の下方側をコネクタ１の後方側に進む。この場合、カードＢの挿入時と同様に、仕切板６は、僅かに上方側に移動し、開口部６０５、６０７の後方側部分でカードＡ用コンタクト２１１を僅かに押し上げる。この場合において、カードＡ用コンタクト２１１の先端部は、仕切板６の開口部６０５、６０７に収容されることとなる。
【０１０４】
また、コネクタ１内を後方側に進む過程において、カードＣの先端部の下面がハウジング２に設けられた保護板２１６と接触し、これを下方側から支持する支持片２２２の付勢力に抗して保護板２１６の後方側端部を僅かに押し下げる。これにより、保護板２１６に形成された溝部２１７内において、カードＣ用コンタクト２１５がカードＣに接近することとなる。
【０１０５】
さらに、カードＣの右方側の先端部が、仕切板６の下方側の位置においてスライド部材７０１の第３当接部７０６に当接する。これにより、カードＣのスライド部材７０１に対する位置が決まり、これ以降、スライド部材７０１とカードＣとが一緒に移動することとなる。なお、カードＣの先端部が第３当接部７０６に当接した時点においては、係止部材７０３の前方側の一端は、ガイド溝７１０の直線状ガイド溝７１６の後方側端部近傍に配置されている。
【０１０６】
図３６及び図３７に示す状態から更にカードＣを押し込むと、図３８及び図３９に示すように、カードＣの下面が更に保護板２１６を押し下げる。これにより、保護板２１６の溝部２１７からカードＣ用コンタクト２１５が露出した状態となる。そして、このように露出したカードＣ用コンタクト２１５がカードＣの下面に入り込み、カードＣの先端部の下面に形成された接触パッドと接触する。なお、図３８及び図３９においては、カードＣをコネクタ１の最後方側の位置まで押し込み、手を離した状態について示している。この状態においては。係止部材７０３の前方側の一端は、係止部７１４に係止された状態となっている。
【０１０７】
以上説明したように、本実施の形態に係るコネクタ１においては、カードＢが装着される場合にカードＢの側方を案内する一方、カードＣが装着される場合にカードＣと当接してカードＣの装着領域外に移動するガイド部材５を、仕切板６の下方側に形成される下部カード装着部の一方の側方側（右方側）であって、仕切板６の下方側に配設している。これにより、下部カード装着部において、幅寸法の小さいカードＢをガイド部材５によって案内すると共に、幅寸法の大きいカードＣが装着される場合にカードＣの装着領域外にガイド部材を移動させるようにしたことから、仕切板６により分割された下部カード装着部に幅寸法の異なるカードＢ、Ｃを装着する場合においても、幅寸法の小さいカードＢを適切に案内しつつ、幅寸法の大きいカードＣの装着を許容でき、３種類以上のカードの装着に対応することが可能となる。
【０１０８】
特に、本実施の形態に係るコネクタ１においては、カードＢが仕切板６の下方とガイド部材５の上方との間に装着される一方、カードＣがガイド部材５の下方に装着されるように構成している。このように構成することで、ガイド部材５によって下部カード装着部におけるカードＢ及びカードＣの位置を決定することができ、これらのカードＢ、Ｃを下部カード装着部における適切な装着位置に配置することが可能となる。
【０１０９】
また、本実施の形態に係るコネクタ１においては、ガイド部材５を、その一部においてカードＢ及びカードＣが仕切板６よりも先に当接するようにカード挿入口４側に配置している。これにより、仕切板６よりも先にガイド部材５の一部をカードＢ及びカードＣに当接させることができるので、下部カード装着部の所定位置にカードＢ及びカードＣを適切に振り分けることが可能となる。
【０１１０】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【０１１１】
例えば、上記実施の形態においては、検出機構９を構成するレバー部材９０１が有する当接部９０３の傾斜面９０３ａを、スライド部材７０１の当接部７１８の傾斜面全体と当接する構成としているが、レバー部材９０１の構成については、これに限定されるものではなく適宜変更が可能である。例えば、当接部９０３の斜面部９０３ａを、スライド部材７０１の当接部７１８の傾斜面の一部と当接するようにしても良い。
【０１１２】
図４０は、本実施の形態に係るコネクタ１が有するレバー部材９０１の変形例の斜視図である。図４１は、本実施の形態に係るコネクタ１が有するレバー部材９０１の変形例の下面図（同図（ａ））及び背面図（同図（ｂ））である。なお、図４０においては、レバー部材９１１を後方側から見た場合の斜視図について示している。図４０及び図４１において、図１８及び図１９に示すレバー部材９０１と同一の構成については、同一の符号を付与し、その説明を省略する。
【０１１３】
図４０及び図４１に示すレバー部材９１１は、当接部９０３の傾斜面９０３ａが短縮され、その先端部に平面部９０３ｃが設けられている点で上記実施の形態に係るレバー部材９０１と相違する。このレバー部材９１１によれば、傾斜面９０３ａが短縮されていることから、当接部７１８の傾斜面と当接する長さが短縮されるので、レバー部材９１１の移動範囲が縮小されることとなる。
【０１１４】
ここで、このようなレバー部材９１１を備える検出機構９におけるカードＢの装着状態の検出動作について図４２〜図４４を用いて説明する。図４２、図４３及び図４４は、それぞれ図３１、図３３及び図３４に相当する状態のレバー部材９１１の近傍の断面図である。なお、図４２〜図４４においては、コネクタ１の後方側から見た断面を示している。
【０１１５】
カードＢの先端部がスライド部材７０１の第２当接面７０５に当接した状態（図３０に示す状態）においては、スライド部材７０１の当接部７１８は、検出機構９を構成するレバー部材９１１の当接部９０３から離間した状態となっている。この場合、レバー部材９１１の後面に取り付けられたトーションばね９０５は、図４２に示すように、一方の端部９０５ｂが固定接点部２２５ｂに接触する一方、他方の端部９０５ｃがベース部２０１に接触し、固定接点部２２５ａには接触していない。このため、可動接点部であるトーションばね９０５と固定接点部２２５とが導通しておらず、検出機構９においては、カードＢの非装着状態を検出することとなる。なお、この場合において、傾斜面９０３ｂが短縮されていることから、平面部９０３ｃは、図４２に示すように、レバー部材７０１の当接部７１８の傾斜面の中央部近傍に対応する位置に配置された状態となっている（図３１参照）。
【０１１６】
一方、カードＢが挿入され、係合部材７０３がカム溝７１０の係止部７１４に係止された状態（ロック状態：図３２に示す状態）においては、スライド部材７０１の当接部７１８は、レバー部材９０１の当接部９０３に当接し、レバー部材９１１をコイルばね９０２の付勢力に抗して左方側に移動させている。この場合、レバー部材９０１の後面に取り付けられたトーションばね９０５は、図４３に示すように、双方の端部９０５ｂ、９０５ｃが固定接点部２２５ｂ、２２５ａに接触している。このため、可動接点部であるトーションばね９０５と固定接点部２２５とが導通することとなり、検出機構９においては、カードＢの装着状態を検出することとなる。なお、このとき、当接部９０３の傾斜面９０３ｂが短縮されていることから、レバー部材９１１の移動範囲は、上記実施の形態よりも縮小されている（図３３参照）。
【０１１７】
なお、図４３に示す状態からカードＢを抜き取るために更にカードＢが後方側に押し込まれると、スライド部材７０１が僅かに後方側に移動し、これに伴ってレバー部材９１１も僅かに左方側に移動する。この場合においても、レバー部材９１１の後面に取り付けられたトーションばね９０５は、図４４に示すように、双方の端部９０５ｂ、９０５ｃがそれぞれ固定接点部２２５ｂ、２２５ａに接触した状態を維持している。このため、検出機構９においては、図４３に示すカードＢのロック状態と同様に、カードＢの装着状態を検出することとなる。
【０１１８】
この場合、レバー部材９１１の当接部９０３においては、スライド部材７０１が一定位置以上に後方側に進むと、平面部９０３ｃがスライド部材７０１の当接部７１８の斜面部を超えて側面部に接触し、レバー部材９１１の左方側への移動が停止することとなる。このように当接部９０３の傾斜面９０３ｂを短縮したレバー部材９１１を検出機構９に適用する場合には、レバー部材９１１の移動範囲を縮小することができるので、カード装着部内の空間を有効に活用することが可能となる。
【０１１９】
また、上記実施の形態においては、検出機構９が、ロック状態からカードＢを抜き取るために更に後方側に押し込まれる際もカードＢの装着状態を継続して検出する場合について説明しているが、検出機構９におけるカードＢの装着状態の検出タイミングについては、これに限定されるものではなく適宜変更が可能である。例えば、ロック状態から更に押し込まれたタイミングでカードＢの非装着状態を検出するようにしても良い。
【０１２０】
図４５は、本実施の形態に係るコネクタ１における変形した検出機構９の近傍の断面図である。なお、図４５においては、検出機構９を後方側から見た場合の断面図について示している。また、図４５において、図１９に示す検出機構９と同一の構成については、同一の符号を付与し、その説明を省略する。
【０１２１】
図４５に示す検出機構９は、同図に示す右方側に配置される固定接点部２２５ａの長さが短い点で上記実施の形態に係る検出機構９と相違する。この固定接点部２２５ａは、ロック状態から更にカードＢが押し込まれた場合にトーションばね９０５の端部９０５ｃが非接触状態となるような長さに設定されている。
【０１２２】
ここで、このような検出機構９におけるカードＢの装着状態の検出動作について図４５〜図４７を用いて説明する。図４５、図４６及び図４７は、それぞれ図３１、図３３及び図３４に相当する検出機構９の状態の断面図である。なお、図４６及び図４７においては、図４５と同様に、コネクタ１の後方側から見た断面を示している。
【０１２３】
カードＢの先端部がスライド部材７０１の第２当接面７０５に当接した状態（図３０に示す状態）においては、スライド部材７０１の当接部７１８は、検出機構９を構成するレバー部材９０１の当接部９０３から離間した状態となっている。この場合、レバー部材９０１の後面に取り付けられたトーションばね９０５は、図４５に示すように、一方の端部９０５ｂが固定接点部２２５ｂに接触する一方、他方の端部９０５ｃがベース部２０１に接触し、固定接点部２２５ａには接触していない。このため、可動接点部であるトーションばね９０５と固定接点部２２５とが導通しておらず、検出機構９においては、カードＢの非装着状態を検出することとなる。
【０１２４】
一方、カードＢが挿入され、係合部材７０３がカム溝７１０の係止部７１４に係止された状態（ロック状態：図３２に示す状態））においては、スライド部材７０１の当接部７１８は、レバー部材９０１の当接部９０３に当接し、レバー部材９０１をコイルばね９０２の付勢力に抗して左方側に移動させている。この場合、レバー部材９０１の後面に取り付けられたトーションばね９０５は、図４６に示すように、双方の端部９０５ｂ、９０５ｃがそれぞれ固定接点部２２５ｂ、２２５ａに接触している。このため、可動接点部であるトーションばね９０５と固定接点部２２５とが導通することとなり、検出機構９においては、カードＢの装着状態を検出することとなる。
【０１２５】
なお、図４６に示す状態からカードＢを抜き取るために更にカードＢが後方側に押し込まれると、スライド部材７０１が僅かに後方側に移動し、これに伴ってレバー部材９０１も僅かに左方側に移動する。この場合、レバー部材９０１の後面に取り付けられたトーションばね９０５は、図４７に示すように、一方の端部９０５ｂが固定接点部２２５ｂに接触する一方、他方の端部９０５ｃが固定接点部２２５ａを乗り越えてベース部２０１に接触している。このため、可動接点部であるトーションばね９０５と固定接点部２２５とが導通しておらず、検出機構９においては、カードＢの非装着状態を検出することとなる。
【０１２６】
このように固定接点部２２５の長さを短縮した検出機構９を適用する場合には、ロック状態にあるカードＢを更に押し込んだ場合にカードＢの非装着状態を検出することができるので、使用者のカードＢに対する押圧操作に伴って迅速にカードＢの非装着状態を検出することが可能となる。
【図面の簡単な説明】
【０１２７】
【図１】本発明の一実施の形態に係るコネクタの外観を示す斜視図である。
【図２】上記実施の形態に係るコネクタの内部の構成を説明するための斜視図である。
【図３】上記実施の形態に係るコネクタの内部の構成を説明するための上面図である。
【図４】図２及び図３に示すコネクタを前方側から示す図である。
【図５】上記実施の形態に係るコネクタの内部の構成を説明するための斜視図である。
【図６】上記実施の形態に係るコネクタの内部の構成を説明するための上面図である。
【図７】上記実施の形態に係るコネクタの内部の構成を説明するための斜視図である。
【図８】上記実施の形態に係るコネクタの内部の構成を説明するための上面図である。
【図９】上記実施の形態に係るコネクタの内部の構成を説明するための斜視図である。
【図１０】上記実施の形態に係るコネクタの内部の構成を説明するための上面図である。
【図１１】上記実施の形態に係るコネクタが有する仕切板を上方側から見た場合の斜視図である。
【図１２】上記実施の形態に係るコネクタが有する仕切板の上面図である。
【図１３】上記実施の形態に係るコネクタが有する仕切板を下方側から見た場合の斜視図である。
【図１４】上記実施の形態に係るコネクタが有するガイド部材の斜視図である。
【図１５】上記実施の形態に係るコネクタが有するガイド部材の側面図（ａ）、上面図（ｂ）、正面図（ｃ）及び下面図（ｄ）である。
【図１６】上記実施の形態に係るコネクタが有する保護板の斜視図（ａ）及び上面図（ｂ）である。
【図１７】上記実施の形態に係るコネクタが有する排出機構を上方側から見た場合の斜視図（ａ）及び上面図（ｂ）である。
【図１８】上記実施の形態に係るコネクタが有するレバー部材の斜視図である。
【図１９】上記実施の形態に係るコネクタが有するレバー部材の下面図（ａ）及び背面図（ｂ）である。
【図２０】上記実施の形態に係るコネクタに対してカードＡを挿入した場合の正面図である。
【図２１】上記実施の形態に係るコネクタに対してカードＡを挿入した場合の斜視図である。
【図２２】図２１に示す状態のコネクタの断面図である。
【図２３】上記実施の形態に係るカード用コネクタに対してカードＡを装着した場合の斜視図である。
【図２４】図２３に示す状態のコネクタの断面図である。
【図２５】上記実施の形態に係るコネクタに対してカードＢを挿入した場合の正面図である。
【図２６】上記実施の形態に係るコネクタに対してカードＢを挿入した場合の斜視図である。
【図２７】図２６に示す状態のコネクタの断面図である。
【図２８】上記実施の形態に係るコネクタに対してカードＢを装着した場合の斜視図である。
【図２９】図２８に示す状態のコネクタの断面図である。
【図３０】図２６に示す状態のコネクタからコンタクトユニットを取り除いた状態の斜視図である。
【図３１】図３０に示す状態のコネクタのレバー部材の近傍の断面図である。
【図３２】図２８に示す状態のコネクタからコンタクトユニットを取り除いた状態の斜視図である。
【図３３】図３２に示す状態のコネクタのレバー部材の近傍の断面図である。
【図３４】図３２に示す状態から更にカードＢを押し込んだ際のレバー部材の近傍の断面図である。
【図３５】上記実施の形態に係るコネクタに対してカードＣを挿入した場合の正面図である。
【図３６】上記実施の形態に係るコネクタに対してカードＣを挿入した場合の斜視図である。
【図３７】図３５に示す状態のコネクタの断面図である。
【図３８】上記実施の形態に係るコネクタに対してカードＣを装着した場合の斜視図である。
【図３９】図３８に示す状態のコネクタの断面図である。
【図４０】上記実施の形態に係るコネクタが有するレバー部材の変形例の斜視図である。
【図４１】上記実施の形態に係るコネクタが有するレバー部材の変形例の下面図（ａ）及び背面図（ｂ）である。
【図４２】図３１に相当する状態のレバー部材の近傍の断面図である。
【図４３】図３３に相当する状態のレバー部材の近傍の断面図である。
【図４４】図３４に相当する状態のレバー部材の近傍の断面図である。
【図４５】上記実施の形態に係るコネクタにおける変形した検出機構の近傍の断面図である。
【図４６】図３３に相当する検出機構の状態の断面図である。
【図４７】図３４に相当する検出機構の状態の断面図である。
【符号の説明】
【０１２８】
１  カード用コネクタ（コネクタ）
２  ハウジング
２０１  ベース部
２０２  側壁部
２０３  係合片
２０４  凹部
２０５  第１ガイド部
２０６  第２ガイド部
２０７  収容部
２０８  保持片
２０９  係止穴
２１０  コンタクトユニット
２１１、２１１ａ、２１１ｂ  カードＡ用コンタクト
２１２  突出片
２１３、２１４  カードＢ用コンタクト
２１５  カードＣ用コンタクト
２１６  保護板
２１６ａ  軸部
２１６ｂ  支持面
２１７  溝部
２１８  突出片
２１９  コイルばね
２２０  突出片
２２１  突出片
２２２  支持片
２２３  ガイド片
２２４  係合片
２２５ａ、２２５ｂ  固定接点部
２２６、２２７  係合片
２２８  凹部
３  カバー部材
３０１  切り欠き部
３０２  付勢片
３０３  開口部
３０４  係合片
４  カード挿入口
５  ガイド部材
５０１  孔
５０２  底面部
５０２ａ  凹部
５０３  前壁部
５０３ａ  突出部
５０３ｂ  傾斜部
５０４  側壁部
５０４ａ〜５０４ｃ  平面部
５０５  突出片
５０６  凹部
５０７  突出片
５０７ａ、５０７ｂ  傾斜面
５０７ｃ  平面部
５０７ｄ  傾斜面
６  仕切板
６０１  アーム部
６０２  孔
６０３  傾斜部
６０４  凹部
６０５  開口部
６０６  突出部
６０７  開口部
６０８  突出片
６０９  突出片
７  排出機構
７０１  スライド部材
７０２  圧縮ばね
７０３  係止部材
７０４  第１当接部
７０５  第２当接部
７０６  第３当接部
７０７  支持部
７０８  凹部
７０９  突出片
７１０  ガイド溝
７１１  ハート形カム
７１２  第１ガイド溝
７１３  第２ガイド溝
７１４  係止部
７１５  凹み溝
７１６  直線状ガイド溝
７１７  係止片
７１８ａ  当接部
７１９  保持片
８  検出機構
８０１  板状部
８０２  当接部
９  検出機構
９０１、９１１  レバー部材
９０２  コイルばね
９０３  当接部
９０３ａ  傾斜面
９０３ｂ  凹部
９０３ｃ  平面部
９０４  保持片
９０５  トーションばね
９０５ａ  曲げ部
９０５ｂ、９０５ｃ  端部
９０６  収容部
９０７、９０８  凹部
【図１】
2010067490.tif 000003
【図２】
2010067490.tif 000004
【図３】
2010067490.tif 000005
【図４】
2010067490.tif 000006
【図５】
2010067490.tif 000007
【図６】
2010067490.tif 000008
【図７】
2010067490.tif 000009
【図８】
2010067490.tif 000010
【図９】
2010067490.tif 000011
【図１０】
2010067490.tif 000012
【図１１】
2010067490.tif 000013
【図１２】
2010067490.tif 000014
【図１３】
2010067490.tif 000015
【図１４】
2010067490.tif 000016
【図１５】
2010067490.tif 000017
【図１６】
2010067490.tif 000018
【図１７】
2010067490.tif 000019
【図１８】
2010067490.tif 000020
【図１９】
2010067490.tif 000021
【図２０】
2010067490.tif 000022
【図２１】
2010067490.tif 000023
【図２２】
2010067490.tif 000024
【図２３】
2010067490.tif 000025
【図２４】
2010067490.tif 000026
【図２５】
2010067490.tif 000027
【図２６】
2010067490.tif 000028
【図２７】
2010067490.tif 000029
【図２８】
2010067490.tif 000030
【図２９】
2010067490.tif 000031
【図３０】
2010067490.tif 000032
【図３１】
2010067490.tif 000033
【図３２】
2010067490.tif 000034
【図３３】
2010067490.tif 000035
【図３４】
2010067490.tif 000036
【図３５】
2010067490.tif 000037
【図３６】
2010067490.tif 000038
【図３７】
2010067490.tif 000039
【図３８】
2010067490.tif 000040
【図３９】
2010067490.tif 000041
【図４０】
2010067490.tif 000042
【図４１】
2010067490.tif 000043
【図４２】
2010067490.tif 000044
【図４３】
2010067490.tif 000045
【図４４】
2010067490.tif 000046
【図４５】
2010067490.tif 000047
【図４６】
2010067490.tif 000048
【図４７】
2010067490.tif 000049